(57)【特許請求の範囲】
【請求項１】
ＲＲＣ（Ｒａｄｉｏ  Ｒｅｓｏｕｒｃｅ  Ｃｏｎｔｒｏｌ）接続リコンフィギュレーションメッセージ又はシステム情報ブロックメッセージに基づき、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とＷＬＡＮ（Ｗｉｒｅｌｅｓｓ  Ｌｏｃａｌ  Ａｒｅａ  Ｎｅｔｗｏｒｋ）との間のトラフィック誘導及びアクセスネットワーク選択のためのＲＡＮ（Ｒａｄｉｏ  Ａｃｃｅｓｓ  Ｎｅｔｗｏｒｋ）支援パラメータを決定することであって、前記ＲＡＮ支援パラメータは、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値と、ＥＵＴＲＡＮ  ＲＳＲＰ（Ｒｅｆｅｒｅｎｃｅ  Ｓｉｇｎａｌ  Ｒｅｃｅｉｖｅｄ  Ｐｏｗｅｒ）閾値又はＥＵＴＲＡＮ  ＲＳＲＱ（Ｒｅｆｅｒｅｎｃｅ  Ｓｉｇｎａｌ  Ｒｅｃｅｉｖｅｄ  Ｑｕａｌｉｔｙ）閾値とを含む、決定することと、
ＥＵＴＲＡＮ  ＲＳＲＰ又はＥＵＴＲＡＮ  ＲＳＲＱを決定することと、
前記ＷＬＡＮにおけるビーコンに基づき、ＷＬＡＮ  ＲＳＳＩを決定することと、
複数の誘導条件が所定の時間区間の間に充足されたと決定することであって、前記複数の誘導条件は、前記ＥＵＴＲＡＮ  ＲＳＲＰが前記ＥＵＴＲＡＮ  ＲＳＲＰ閾値未満であるか、又は前記ＥＵＴＲＡＮ  ＲＳＲＱが前記ＥＵＴＲＡＮ  ＲＳＲＱ閾値未満であることと、前記ＷＬＡＮ  ＲＳＳＩが前記ＷＬＡＮビーコンＲＳＳＩ閾値より大きいこととを含む、決定することと、
前記複数の誘導条件が前記所定の時間区間の間に充足されたという決定に基づき、前記ＥＵＴＲＡＮを介し通信するユーザ装置（ＵＥ）の第１の無線機から前記ＷＬＡＮを介し通信する前記ＵＥの第２の無線機にトラフィックを誘導することと、
を前記ＵＥに実行させるプログラム。
【請求項２】
前記ＥＵＴＲＡＮのｅＮＢからのメッセージに基づき識別子を決定することと、
前記識別子に基づき前記ＷＬＡＮを特定することと、
を前記ＵＥに更に実行させる、請求項１記載のプログラム。
【請求項３】
前記識別子は、サービスセット識別子、ベーシックサービスセット識別子又はホモジーニアス拡張サービスセット識別子である、請求項２記載のプログラム。
【請求項４】
前記ＲＡＮ支援パラメータは更に、ＷＬＡＮチャネル使用閾値を有し、
前記複数の誘導条件は更に、前記ＷＬＡＮのチャネル使用が前記ＷＬＡＮチャネル使用閾値未満であることを含む、請求項１乃至３何れか一項記載のプログラム。
【請求項５】
前記ＲＡＮ支援パラメータは更に、ＷＬＡＮダウンリンクバックホールレート閾値を有し、
前記複数の誘導条件は更に、前記ＷＬＡＮの利用可能なダウンリンク帯域幅が前記ＷＬＡＮダウンリンクバックホールレート閾値より大きいことを含む、請求項１乃至４何れか一項記載のプログラム。
【請求項６】
前記ＲＡＮ支援パラメータは更に、ＷＬＡＮアップリンクバックホールレート閾値を有し、
前記複数の誘導条件は更に、前記ＷＬＡＮの利用可能なアップリンク帯域幅が前記ＷＬＡＮアップリンクバックホールレート閾値より大きいことを含む、請求項１乃至５何れか一項記載のプログラム。
【請求項７】
前記ＲＡＮ支援パラメータは更に、前記所定の時間区間を提供するタイマパラメータを有する、請求項１乃至６何れか一項記載のプログラム。
【請求項８】
ＷＬＡＮ（Ｗｉｒｅｌｅｓｓ  Ｌｏｃａｌ  Ａｒｅａ  Ｎｅｔｗｏｒｋ）からビーコンを受信するＷＬＡＮ無線機と、
ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）からＲＲＣ（Ｒａｄｉｏ  Ｒｅｓｏｕｒｃｅ  Ｃｏｎｔｒｏｌ）接続リコンフィギュレーションメッセージ又はシステム情報ブロック（ＳＩＢ）メッセージを受信するセルラ無線機と、
前記ＷＬＡＮ無線機と前記セルラ無線機とに結合される制御回路と、
を有する装置であって、
前記制御回路は、
前記ＲＲＣ接続リコンフィギュレーションメッセージ又は前記ＳＩＢメッセージに基づき、ＥＵＴＲＡＮとＷＬＡＮとの間のトラフィック誘導及びアクセスネットワーク選択のためのＲＡＮ（Ｒａｄｉｏ  Ａｃｃｅｓｓ  Ｎｅｔｗｏｒｋ）支援パラメータを決定することであって、前記ＲＡＮ支援パラメータは、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値と、ＥＵＴＲＡＮ  ＲＳＲＰ（Ｒｅｆｅｒｅｎｃｅ  Ｓｉｇｎａｌ  Ｒｅｃｅｉｖｅｄ  Ｐｏｗｅｒ）閾値又はＥＵＴＲＡＮ  ＲＳＲＱ（Ｒｅｆｅｒｅｎｃｅ  Ｓｉｇｎａｌ  Ｒｅｃｅｉｖｅｄ  Ｑｕａｌｉｔｙ）閾値とを含む、決定することと、
ＥＵＴＲＡＮ  ＲＳＲＰ又はＥＵＴＲＡＮ  ＲＳＲＱを決定することと、
前記ビーコンに基づき、ＷＬＡＮ  ＲＳＳＩを決定することと、
複数の誘導条件が所定の時間区間の間に充足されたと決定することであって、前記複数の誘導条件は、前記ＥＵＴＲＡＮ  ＲＳＲＰが前記ＥＵＴＲＡＮ  ＲＳＲＰ閾値未満であるか、又は前記ＥＵＴＲＡＮ  ＲＳＲＱが前記ＥＵＴＲＡＮ  ＲＳＲＱ閾値未満であることと、前記ＷＬＡＮ  ＲＳＳＩが前記ＷＬＡＮビーコンＲＳＳＩ閾値より大きいこととを含む、決定することと、
前記複数の誘導条件が前記所定の時間区間の間に充足されたという決定に基づき、前記セルラ無線機から前記ＷＬＡＮ無線機にトラフィックを誘導することと、
実行する装置。
【請求項９】
前記制御回路は更に、
前記ＥＵＴＲＡＮのｅＮＢからのメッセージに基づき識別子を決定することと、
前記識別子に基づき前記ＷＬＡＮを特定することと、
を実行する、請求項８記載の装置。
【請求項１０】
前記識別子は、サービスセット識別子、ベーシックサービスセット識別子又はホモジーニアス拡張サービスセット識別子である、請求項９記載の装置。
【請求項１１】
前記ＲＡＮ支援パラメータは更に、ＷＬＡＮチャネル使用閾値を有し、前記複数の誘導条件は更に、前記ＷＬＡＮのチャネル使用が前記ＷＬＡＮチャネル使用閾値未満であることを含み、
前記ＲＡＮ支援パラメータは更に、ＷＬＡＮダウンリンクバックホールレート閾値を有し、前記複数の誘導条件は更に、前記ＷＬＡＮの利用可能なダウンリンク帯域幅が前記ＷＬＡＮダウンリンクバックホールレート閾値より大きいことを含み、又は、
前記ＲＡＮ支援パラメータは更に、ＷＬＡＮアップリンクバックホールレート閾値を有し、前記複数の誘導条件は更に、前記ＷＬＡＮの利用可能なアップリンク帯域幅が前記ＷＬＡＮアップリンクバックホールレート閾値より大きいことを含む、請求項８乃至１０何れか一項記載の装置。
【請求項１２】
前記ＲＡＮ支援パラメータは更に、前記所定の時間区間を提供するタイマパラメータを有する、請求項８乃至１１何れか一項記載の装置。
【請求項１３】
アクセスストレイタム回路であって、
ＲＲＣ（Ｒａｄｉｏ  Ｒｅｓｏｕｒｃｅ  Ｃｏｎｔｒｏｌ）接続リコンフィギュレーションメッセージ又はシステム情報ブロックメッセージに基づき、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とＷＬＡＮ（Ｗｉｒｅｌｅｓｓ  Ｌｏｃａｌ  Ａｒｅａ  Ｎｅｔｗｏｒｋ）との間のトラフィック誘導及びアクセスネットワーク選択のためのＲＡＮ（Ｒａｄｉｏ  Ａｃｃｅｓｓ  Ｎｅｔｗｏｒｋ）支援パラメータを決定することであって、前記ＲＡＮ支援パラメータは、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値と、ＥＵＴＲＡＮ  ＲＳＲＰ（Ｒｅｆｅｒｅｎｃｅ  Ｓｉｇｎａｌ  Ｒｅｃｅｉｖｅｄ  Ｐｏｗｅｒ）閾値又はＥＵＴＲＡＮ  ＲＳＲＱ（Ｒｅｆｅｒｅｎｃｅ  Ｓｉｇｎａｌ  Ｒｅｃｅｉｖｅｄ  Ｑｕａｌｉｔｙ）閾値とを含む、決定することと、
ＥＵＴＲＡＮ  ＲＳＲＰ又はＥＵＴＲＡＮ  ＲＳＲＱを決定することと、
前記ＷＬＡＮにおけるビーコンに基づき、ＷＬＡＮ  ＲＳＳＩを決定することと、
複数の誘導条件が所定の時間区間の間に充足されたと決定することであって、前記複数の誘導条件は、前記ＥＵＴＲＡＮ  ＲＳＲＰが前記ＥＵＴＲＡＮ  ＲＳＲＰ閾値未満であるか、又は前記ＥＵＴＲＡＮ  ＲＳＲＱが前記ＥＵＴＲＡＮ  ＲＳＲＱ閾値未満であることと、前記ＷＬＡＮ  ＲＳＳＩが前記ＷＬＡＮビーコンＲＳＳＩ閾値より大きいこととを含む、決定することと、
を実行するアクセスストレイタム回路と、
前記複数の誘導条件が前記所定の時間区間の間に充足されたという前記アクセスストレイタム回路からの通知を受信することと、
前記通知に基づき、前記ＥＵＴＲＡＮを介し通信するユーザ装置（ＵＥ）の第１の無線機から前記ＷＬＡＮを介し通信する前記ＵＥの第２の無線機にトラフィックを誘導することと、
を実行する非アクセスストレイタム回路と、
を有する装置。
【請求項１４】
前記ＲＡＮ支援パラメータは更に、ＷＬＡＮチャネル使用閾値を有し、前記複数の誘導条件は更に、前記ＷＬＡＮのチャネル使用が前記ＷＬＡＮチャネル使用閾値未満であることを含み、
前記ＲＡＮ支援パラメータは更に、ＷＬＡＮダウンリンクバックホールレート閾値を有し、前記複数の誘導条件は更に、前記ＷＬＡＮの利用可能なダウンリンク帯域幅が前記ＷＬＡＮダウンリンクバックホールレート閾値より大きいことを含み、又は、
前記ＲＡＮ支援パラメータは更に、ＷＬＡＮアップリンクバックホールレート閾値を有し、前記複数の誘導条件は更に、前記ＷＬＡＮの利用可能なアップリンク帯域幅が前記ＷＬＡＮアップリンクバックホールレート閾値より大きいことを含む、請求項１３記載の装置。
【請求項１５】
前記ＲＡＮ支援パラメータは更に、前記所定の時間区間を提供するタイマパラメータを有する、請求項１３又は１４記載の装置。
【請求項１６】
ＲＲＣ（Ｒａｄｉｏ  Ｒｅｓｏｕｒｃｅ  Ｃｏｎｔｒｏｌ）接続リコンフィギュレーションメッセージ又はシステム情報ブロックメッセージに基づき、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とＷＬＡＮ（Ｗｉｒｅｌｅｓｓ  Ｌｏｃａｌ  Ａｒｅａ  Ｎｅｔｗｏｒｋ）との間のトラフィック誘導及びアクセスネットワーク選択のためのＲＡＮ（Ｒａｄｉｏ  Ａｃｃｅｓｓ  Ｎｅｔｗｏｒｋ）支援パラメータを決定することであって、前記ＲＡＮ支援パラメータは、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値と、ＥＵＴＲＡＮ  ＲＳＲＰ（Ｒｅｆｅｒｅｎｃｅ  Ｓｉｇｎａｌ  Ｒｅｃｅｉｖｅｄ  Ｐｏｗｅｒ）閾値又はＥＵＴＲＡＮ  ＲＳＲＱ（Ｒｅｆｅｒｅｎｃｅ  Ｓｉｇｎａｌ  Ｒｅｃｅｉｖｅｄ  Ｑｕａｌｉｔｙ）閾値とを含む、決定することと、
ＥＵＴＲＡＮ  ＲＳＲＰ又はＥＵＴＲＡＮ  ＲＳＲＱを決定することと、
前記ＷＬＡＮにおけるビーコンに基づき、ＷＬＡＮ  ＲＳＳＩを決定することと、
複数の誘導条件が所定の時間区間の間に充足されたと決定することであって、前記複数の誘導条件は、前記ＥＵＴＲＡＮ  ＲＳＲＰが前記ＥＵＴＲＡＮ  ＲＳＲＰ閾値より大きく、前記ＥＵＴＲＡＮ  ＲＳＲＱが前記ＥＵＴＲＡＮ  ＲＳＲＱ閾値より大きいことであることと、前記ＷＬＡＮ  ＲＳＳＩが前記ＷＬＡＮビーコンＲＳＳＩ閾値未満であることとを含む、決定することと、
前記複数の誘導条件が前記所定の時間区間の間に充足されたという決定に基づき、前記ＷＬＡＮを介し通信するユーザ装置（ＵＥ）の第１の無線機から前記ＥＵＴＲＡＮを介し通信する前記ＵＥの第２の無線機にトラフィックを誘導することと、
を前記ＵＥに実行させるプログラム。
【請求項１７】
前記ＥＵＴＲＡＮのｅＮＢからのメッセージに基づき識別子を決定することと、
前記識別子に基づき前記ＷＬＡＮを特定することと、
を前記ＵＥに更に実行させる、請求項１６記載のプログラム。
【請求項１８】
前記識別子は、サービスセット識別子、ベーシックサービスセット識別子又はホモジーニアス拡張サービスセット識別子である、請求項１７記載のプログラム。
【請求項１９】
前記ＲＡＮ支援パラメータは更に、ＷＬＡＮチャネル使用閾値を有し、前記複数の誘導条件は更に、前記ＷＬＡＮのチャネル使用が前記ＷＬＡＮチャネル使用閾値未満であることを含み、
前記ＲＡＮ支援パラメータは更に、ＷＬＡＮダウンリンクバックホールレート閾値を有し、前記複数の誘導条件は更に、前記ＷＬＡＮの利用可能なダウンリンク帯域幅が前記ＷＬＡＮダウンリンクバックホールレート閾値より大きいことを含み、又は、
前記ＲＡＮ支援パラメータは更に、ＷＬＡＮアップリンクバックホールレート閾値を有し、前記複数の誘導条件は更に、前記ＷＬＡＮの利用可能なアップリンク帯域幅が前記ＷＬＡＮアップリンクバックホールレート閾値より大きいことを含む、請求項１６乃至１８何れか一項記載のプログラム。
【請求項２０】
前記ＲＡＮ支援パラメータは更に、前記所定の時間区間を提供するタイマパラメータを有する、請求項１６乃至１９何れか一項記載のプログラム。
【発明の詳細な説明】
【技術分野】
【０００１】
［関連出願の相互参照］
本出願は、“Ｓｔａｇｅ−２  ａｎｄ  Ｓｔａｇｅ−３  Ｄｅｔａｉｌｓ  ｏｆ  ＬＴＥ／ＷＬＡＮ  Ｒａｄｉｏ  Ｉｎｔｅｒｗｏｒｋｉｎｇ”という名称の２０１４年５月８日に出願された米国仮出願第６１／９９０，６９４号及び“Ａｍｅｎｄｍｅｎｔ  ｔｏ  ＷＬＡＮ／３ＧＰＰ  Ｉｎｔｅｒｗｏｒｋｉｎｇ  ＲＡＮ  Ｒｕｌｅｓ”という名称の２０１４年７月２８日に出願された米国仮出願第６２／０２９，９３６号の利益を請求する２０１４年５月８日に出願された米国仮出願第６１／９９０，６９４号“ＳＹＳＴＥＭＳ，ＤＥＶＩＣＥＳ，ＡＮＤ  ＭＥＴＨＯＤＳ  ＦＯＲ  ＬＯＮＧ  ＴＥＲＭ  ＥＶＯＬＵＴＩＯＮ  ＡＮＤ  ＷＩＲＥＬＥＳＳ  ＬＯＣＡＬ  ＡＲＥＡ  ＩＮＴＥＲＷＯＲＫＩＮＧ”という名称の２０１４年１２月２４日に出願された米国特許出願第１４／５８３，０２７号の利益を請求する。上述した出願の全体が、参照することによりここに援用される。
［分野］
本発明の実施例は、一般に無線通信の分野に関し、より詳細にはロングタームエボリューション及びワイヤレスローカルエリアインターワーキングのためのシステム、装置及び方法に関する。
【背景技術】
【０００２】
典型的には、セルラネットワークは、ユーザ装置（ＵＥ）をワイヤレスローカルエリアネットワーク（ＷＬＡＮ）にハンドオフ又はオフロードすることができる必要がある。ＵＥは、無線アクセスネットワーク（ＲＡＮ）とＷＬＡＮとの双方を含む複数のネットワークにトラフィックを向ける方法を知っている必要があるかもしれない。セルラネットワークの一例は、第三世代パートナーシッププロジェクト（３ＧＰＰ）仕様により規定されたものなどの３Ｇ又は４Ｇネットワークを含むものであってもよい。ＷＬＡＮの一例は、ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１１仕様により記載されるものなどのＷｉ−Ｆｉネットワークを含むものであってもよい。
【図面の簡単な説明】
【０００３】
実施例は、添付図面と共に以下の詳細な説明よって容易に理解されるであろう。本説明を容易にするため、同様の参照番号は同様の構成要素を示す。実施例は、添付図面の図に限定されず、具体例により示される。
【図１】図１は、各種実施例による無線通信環境を概略的に示す。
【図２】図２は、いくつかの実施例によるユーザ装置のアクセスネットワーク選択及びトラフィック誘導処理のフローチャートである。
【図３】図３は、いくつかの実施例によるネットワークノードの設定処理のフローチャートである。
【図４】図４は、ここに説明される各種実施例を実施するのに利用可能な一例となる計算装置のブロック図である。
【発明を実施するための形態】
【０００４】
以下の詳細な説明では、全体を通じて同様の数字が同様のパーツを示すここでのパーツを構成し、実施可能な実施例を例示的に示される添付図面が参照される。他の実施例が利用されてもよく、構成的又は論理的な変更が本開示の範囲から逸脱することなく行われてもよいことが理解されるべきである。
【０００５】
各種処理は、請求された主題を理解するのに最も役立つ方法で複数の個別のアクション又は処理として順番に説明されうる。しかしながら、説明の順序はこれらの処理が順序に依存している必要があることを意味するものとして解釈されるべきでない。特に、これらの処理は、提供順に実行されなくてもよい。説明される処理は、説明される実施例と異なる順序で実行されてもよい。各種の更なる処理が実行されてもよいし、あるいは、説明される処理は更なる実施例において省略されてもよい。
【０００６】
本開示の目的のため、“又は”という用語は、当該用語によって結合されるコンポーネントの少なくとも１つを意味するため、包含的な用語として用いられる。例えば、“Ａ又はＢ”というフレーズは、（Ａ），（Ｂ）又は（Ａ及びＢ）を意味し、“Ａ，Ｂ又はＣ”というフレーズは、（Ａ），（Ｂ），（Ｃ），（Ａ及びＢ），（Ａ及びＣ），（Ｂ及びＣ）又は（Ａ，Ｂ及びＣ）を意味する。
【０００７】
当該説明は、それぞれが同一又は異なる実施例の１つ以上を参照しうる“ある実施例では”又は“実施例では”というフレーズを用いてもよい。さらに、本開示の実施例に関して用いられる“有する”、“含む”などの用語は同義的である。
【０００８】
ここで用いられる“回路”という用語は、１つ以上のソフトウェア又はファームウェアプログラム、組み合わせ論理回路又は説明される機能を提供する他の適切なハードウェアコンポーネントを実行する特定用途向け集積回路（ＡＳＩＣ）、電子回路、プロセッサ（共有、専用又はグループ）又はメモリ（共有、専用又はグループ）を参照するか、一部であるか、あるいは含むものであってもよい。
【０００９】
図１は、各種実施例による無線通信環境１００を概略的に示す。環境１００は、少なくとも２つの無線通信ネットワーク上で通信可能なユーザ装置（ＵＥ）１０４を含むものであってもよい。ＵＥ１０４は、例えば、進化型ノードＢ（ｅＮＢ）１１６などのＥＵＴＲＡＮの１つ以上のノードとの無線通信が可能なＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）無線機１１２と結合された制御回路１０８を有してもよい。制御回路１０８は、例えば、アクセスポイント１２４などのＷＬＡＮの１つ以上のノードとの無線通信が可能なＷＬＡＮ無線機１２０と更に結合されてもよい。
【００１０】
ＡＰ１２４は、制御回路１３２と結合される無線送受信機１２８を有してもよい。制御回路１３２は、ＡＰ１２４の処理及び通信を制御する。いくつかの実施例では、制御回路１３２は、無線送受信機１２８と、有線又は無線であってもよい１つ以上の更なる送受信機とを介した通信を制御する。いくつかの実施例では、制御回路１３２は、アクセスポイントから別々に配置されたアクセスコントローラにおいて実現されてもよい。
【００１１】
ｅＮＢ１１６はまた無線送受信機１３６及び制御回路１４０を有してもよい。制御回路１４０は、ｅＮＢ１１６の処理及び通信を制御してもよい。ｅＮＢ１１６は、３ＧＰＰロングタームエボリューション（ＬＴＥ）ネットワーク（又はＬＴＥ−Ａｄｖａｎｃｅｄ（ＬＴＥ−Ａ）ネットワーク）の一部であってもよく、例えば、ネットワークコントローラ１４８などのＬＴＥ／ＬＴＥ−Ａネットワークの１つ以上のノードと通信するための送受信機１４４を有してもよい。ｅＮＢ１１６は、有線又は無線であってもよい１つ以上の更なる送受信機を有してもよい。
【００１２】
ネットワークコントローラ１４８は、ｅＮＢ１１６の送受信機１４４と通信するための送受信機１５２を有してもよい。ネットワークコントローラ１４８は更に、コンフィギュレーション回路１５６を有してもよい。いくつかの実施例では、コンフィギュレーション回路１５６は、例えば、ＵＥ１０４などのｅＮＢ１１６のサービングセルに存在するＵＥに無線アクセスネットワーク（ＲＡＮ）支援パラメータを提供する。ＲＡＮ支援パラメータは、専用又は報知シグナリングを介しＵＥに提供されてもよい。ＲＡＮ支援パラメータは、ここで更に詳細に説明されるようなアクセスネットワーク選択及びトラフィック誘導決定を行うため、ＵＥに提供されるルールと共にＵＥによって用いられてもよい。
【００１３】
ネットワークコントローラ１４８は、ｅＮＢ１１６と共にＥＵＴＲＡＮの一部、他のＥＵＴＲＡＮ又はｅＮＢ１１６のＥＵＴＲＡＮと結合される進化型パケットコア（ＥＰＣ）であってもよい。ここに用いられるｅＮＢ１１６のＥＵＴＲＡＮは、ｅＮＢ１１６により提供されるサービングセルを表すものであってもよい。
【００１４】
ＥＰＣは、ＵＥが３ＧＰＰアクセスネットワークに加えてデータ通信に利用可能な非３ＧＰＰアクセスネットワークを発見することを支援し、ＵＥにこれらのネットワークとの接続を規制するルールを提供するアクセスネットワーク発見選択機能を含むものであってもよい。ＥＰＣはまた、各種ＲＡＮと他のネットワークとの間の通信インタフェースを提供してもよい。
【００１５】
コンフィギュレーション回路１５６はネットワークコントローラ１４８内に示されているが、他の実施例では、コンフィギュレーション回路１５６の一部又は全てはｅＮＢ１１６に配置されてもよい。
【００１６】
各種実施例は、ＥＵＴＲＡＮとＷＬＡＮとの間のＲＡＮにより支援されたＵＥベースの双方向トラフィック誘導を含む。例えば、ＵＥ１０４は、ｅＮＢ１１６などのＥＵＴＲＡＮのコンポーネントにより提供される情報を用いて、ＥＵＴＲＡＮとＷＬＡＮとの間のトラフィックを誘導する時点を決定してもよい。いくつかの実施例では、ＵＥ１０４は、ＵＥがＲＲＣアイドル又はＲＲＣ接続モードにあるか否かに基づきトラフィックを異なって誘導してもよい。
【００１７】
ＲＡＮ支援パラメータは、ＥＵＴＲＡＮ信号強度及び品質閾値、ＷＬＡＮ利用閾値、ＷＬＡＮバックホールデータレート閾値、ＷＬＡＮ識別子（アクセスネットワーク選択及びトラフィック誘導（ＡＮＳＴＳ）ルールにおいて使用される）及びオフロード選好インジケータ（ＯＰＩ）（ＡＮＤＳＦポリシーにおいて用いられる）を含むものであってもよい。ＵＥ１０４は、ここに説明されるＡＮＳＴＳルールの評価におけるＲＡＮ支援パラメータを用いて、ＥＵＴＲＡＮとＷＬＡＮとの間のトラフィック誘導決定を実行してもよい。
【００１８】
ＲＡＮ支援パラメータを受信した後、ＵＥ１０４は、各種状況とパラメータが専用又は報知シグナリングを介し受信されたかとに基づき、パラメータを保持及び適用するか、パラメータを破棄又は無視してもよい。例えば、ＵＥ１０４がＲＲＣ＿ＣＯＮＮＥＣＴＥＤ状態にある場合、制御回路１０８は、専用シグナリングを介し取得されたＲＡＮ支援パラメータを適用してもよい。そうでない場合、ＵＥ１０４は、報知シグナリングを介し取得されたＲＡＮ支援パラメータを適用してもよい。ＵＥ１０４がＲＲＣ＿ＩＤＬＥ状態にある場合、それは、セル再選択又はハンドオーバが行われるまで、又はＵＥ１０４がＲＲＣ＿ＩＤＬＥ状態に入ってからタイマが満了するまで、専用シグナリングを介し取得されたＲＡＮ支援パラメータを保持及び適用してもよい。セル再選択又はハンドオーバが行われるか、又はタイマが満了した後、ＵＥ１０４は、報知シグナリングを介し取得されたＲＡＮ支援パラメータを適用してもよい。
【００１９】
いくつかの実施例では、ＵＥ１０４のユーザは、通信が接続されるべきネットワークに関する選好を設定してもよい。これらのユーザ選好設定は、ＡＮＳＴＳルールに対して優先されてもよい。
【００２０】
トラフィック誘導をサポートするＲＲＣ＿ＣＯＮＮＥＣＴＥＤ又はＲＲＣ＿ＩＤＬＥ状態のユーザ装置は、当該ＵＥにＥＰＣのＡＮＤＳＦによってＡＮＤＳＦポリシーが提供されていない場合、ＡＮＳＴＳを利用する。ＵＥ１０４にＡＮＤＳＦポリシーが提供されている場合、ＵＥ１０４は、ＵＥ１０４の上位レイヤに受信したＲＡＮ支援パラメータを転送してもよい。ＵＥ１０４にＡＮＤＳＦポリシーが提供されていない（又は、それがアクティブなＡＮＤＳＦポリシーを有していない）場合、それは、ＲＡＮにおいて規定されるＡＮＳＴＳにおける受信したＲＡＮ支援パラメータを利用してもよい。
【００２１】
ＵＥ１０４がＡＮＳＴＳルールを適用するとき、受信したＲＡＮ支援パラメータを用いて、それは、アクセスポイント名（ＡＰＮ）の粒度によってＥＵＴＲＡＮとＷＬＡＮとの間のトラフィック誘導を実行してもよい。例えば、ＵＥ１０４がＥＵＴＲＡＮとＷＬＡＮとの間のＡＰＮに属する進化型パケットシステム（ＥＰＳ）ベアラのトラフィックを移動するとき、それは、当該ＡＰＮに属する全てのＥＰＳベアラのトラフィックを移動してもよい。何れのＡＰＮがＷＬＡＮにオフロード可能であるかの情報はＮＡＳによって提供されてもよい。
【００２２】
いくつかの状況では、ＥＵＴＲＡＮは、複数のＰＬＭＮ（Ｐｕｂｌｉｃ  Ｌａｎｄ  Ｍｏｂｉｌｅ  Ｎｅｔｗｏｒｋ）間で共有されてもよい。これらの状況では、ＥＵＴＲＡＮを共有する各ＰＬＭＮは、自らのＲＡＮ支援パラメータセットと関連付けされてもよい。いくつかの実施例では、ｅＮＢ１１６は、ｅＮＢ１１６が提供する各ＰＬＭＮのＲＡＮ支援パラメータセットを受信又は決定してもよい。それから、ｅＮＢ１１６は、報知又は専用シグナリングを介しＥＵＴＲＡＮにおいてＵＥにこれらのＲＡＮ支援パラメータセットを提供してもよい。
【００２３】
ＲＡＮ支援パラメータは、１つ以上のシステム情報ブロック（ＳＩＢ）又はＲＲＣ接続リコンフィギュレーションメッセージにおいてＵＥ１０４に提供されてもよい。ＲＡＮ支援パラメータの何れかが、例えば、ＲＲＣ接続リコンフィギュレーションメッセージなどの専用シグナリングにおいて提供される場合、ＵＥ１０４は、例えば、ＳＩＢなどのシステム情報において提供されるＲＡＮ支援パラメータを無視してもよい。いくつかの実施例では、制御回路１０８は、ＵＥ１０４が適切なセルに在圏している場合に限って、システム情報を介し受信したＲＡＮ支援パラメータが有効であると判断してもよい。
【００２４】
いくつかの実施例では、ＲＡＮ支援パラメータは、ＡＰ１２４に関連するＷＬＡＮなど、トラフィックが誘導されるターゲットＷＬＡＮの識別子を含むものであってもよい。ＷＬＡＮ識別子は、サービスセット識別子（ＳＳＩＤ）、ベーシックサービスセット識別子（ＢＳＳＩＤ）及び／又はホモジーニアス拡張サービスセット識別子（ＨＨＩＤ）を含むものであってもよい。ＡＮＳＴＳルールは、ターゲットＷＬＡＮに適用可能であってもよい。いくつかの実施例では、ＵＥ１０４がＥＵＴＲＡＮとＷＬＡＮとの間のトラフィック誘導が可能であって、ＵＥ１０４に上述したようなアクティブＡＮＤＳＦポリシーが提供されない場合に限って、これらのＡＮＳＴＳルールは適用可能であってもよい。
【００２５】
いくつかの点では、ＡＮＳＴＳルール及びＡＮＤＳＦポリシーは、同様の機能を提供する２つの代替的な機構とみなされうる。いくつかのオペレータはＡＮＤＳＦを使用し、他のものはＡＮＳＴＳを使用する。一般的に言うと、ＡＮＤＳＦはより包括的であり、このため、効果であり得る。ＡＮＤＳＦのフル機能を必要としないオペレータは、より安価なＡＮＳＴＳを代わりに使用することを好むかもしれない。
【００２６】
一般に、単一のオペレータは１つの機構しか使用しないかもしれない。しかしながら、特定のケースでは、競合が起こりうる。例えば、ＡＮＤＳＦを使用するオペレータＡからのＵＥがＡＮＳＴＳを使用するオペレータＢのネットワークにおいてローミングしているである。このような例では、優先される機構が明示的に規定されてもよい。
【００２７】
第１のＡＮＳＴＳルールセットは、トラフィックがＥＵＴＲＡＮからＷＬＡＮに誘導される状況を説明してもよい。これらの状況は、ＲＡＮ支援パラメータにおいて提供される各種閾値と比較して、ＥＵＴＲＡＮ及びＷＬＡＮにおける動作状態に基づくものであってもよい。いくつかの実施例では、所定の条件が充足される場合、制御回路１０８におけるアクセスストレイタムは、非アクセスストレイタムなどの制御回路１０８の上位レイヤに、（ＲＡＮアクセスパラメータにおいて提供されるＷＬＡＮ識別子のリストからの）何れのＷＬＡＮ識別子について、ＥＵＴＲＡＮからＷＬＡＮへのトラフィックを誘導するための特定の条件が所定の時間間隔について充足されるときを通知してもよい。所定の時間間隔は、ＲＡＮ支援パラメータのパラメータであってもよいタイマ値ＴｓｔｅｅｒｉｎｇＷＬＡＮに基づくものであってもよい。
【００２８】
トラフィックをＷＬＡＮに誘導するための条件は、ＥＵＴＲＡＮサービングセル条件及びターゲットＷＬＡＮ条件を含むものであってもよい。ＥＵＴＲＡＮサービングセル条件は、Ｑｒｘｌｅｖｍｅａｓ＜ＴｈｒｅｓｈＳｅｒｖｉｎｇＯｆｆｌｏａｄＷＬＡＮ，ＬｏｗＰ、又はＱｑｕａｌｍｅａｓ＜ＴｈｒｅｓｈＳｅｒｖｉｎｇＯｆｆｌｏａｄＷＬＡＮ，ＬｏｗＱを含むものであってもよく、ここで、Ｑｒｘｌｅｖｍｅａｓは、ＥＵＴＲＡＮセルの測定されたＲＳＲＰ（Ｒｅｆｅｒｅｎｃｅ  Ｓｉｇｎａｌ  Ｒｅｃｅｉｖｅｄ  Ｑｕａｌｉｔｙ）（ｄＢによる）であり、ＴｈｒｅｓｈＳｅｒｖｉｎｇＯｆｆｌｏａｄＷＬＡＮ，ＬｏｗＰは、ＷＬＡＮへのトラフィック誘導のためＵＥ１０４により使用されるＲＳＲＰ閾値（ｄＢＭによる）であり、Ｑｑｕａｌｍｅａｓは、ＥＵＴＲＡＮセルにおける測定されたＲＳＲＱ（Ｒｅｆｅｒｅｎｃｅ  Ｓｉｇｎａｌ  Ｒｅｃｅｉｖｅｄ  Ｑｕａｌｉｔｙ）（ｄＢによる）であり、ＴｈｒｅｓｈＳｅｒｖｉｎｇＯｆｆｌｏａｄＷＬＡＮ，ＬｏｗＱは、ＷＬＡＮへのトラフィック誘導のためＵＥ１０４により使用されるＲＳＲＱ閾値（ｄＢによる）であってもよい。従って、制御回路１０８は、ＥＵＴＲＡＮの測定されたセル受信レベル値が対応するＲＳＲＰ閾値未満であるか、又はＥＵＴＲＡＮの測定されたセル品質値が対応するＲＳＲＱ閾値未満である場合、ＥＵＴＲＡＮサービングセル条件が充足されると判断してもよい。
【００２９】
ターゲットＷＬＡＮ条件は、ＣｈａｎｎｅｌＵｔｉｌｉｚａｔｉｏｎＷＬＡＮ＜ＴｈｒｅｓｈＣｈＵｔｉｌＷＬＡＮ，Ｌｏｗ、ＢａｃｋｈａｕｌＲａｔｅＤ１ＷＬＡＮ＞ＴｈｒｅｓｈＢａｃｋｈＲａｔｅＤ１ＷＬＡＮ，Ｈｉｇｈ、ＢａｃｋｈａｕｌＲａｔｅＵ１ＷＬＡＮ＞ＴｈｒｅｓｈＢａｃｋｈＲａｔｅＵ１ＷＬＡＮ，Ｈｉｇｈ、及びＢｅａｃｏｎＲＳＳＩ＞ＴｈｒｅｓｈＲＳＳＩＷＬＡＮ，Ｈｉｇｈを含むものであってもよく、ここで、ＣｈａｎｎｅｌＵｔｉｌｉｚａｔｉｏｎＷＬＡＮは、指示されたＷＬＡＮ識別子についてＩＥＥＥ８０２．１１（ビーコン又はプローブレスポンス）シグナリングから取得されるベーシックサービスセット（ＢＳＳ）ロード情報要素（ＩＥ）からのＷＬＡＮチャネル使用率であり、ＴｈｒｅｓｈＣｈＵｔｉｌＷＬＡＮ，Ｌｏｗは、ＷＬＡＮへのトラフィック誘導のためＵＥ１０４により使用されるＷＬＡＮチャネル使用（ＢＳＳロード）閾値であり、ＢａｃｋｈａｕｌＲａｔｅＤ１ＷＬＡＮは、ダウンリンク速度＊（１−ダウンリンクロード／２５５）として計算されるバックホール利用可能ダウンリンク帯域幅であり、ここで、ダウンリンク速度及びダウンリンクロードパラメータは、（ＩＥＥＥ８０２．１１ｕ及びＷＦＡ拡張に基づく）Ｗｉ−Ｆｉアライアンス（ＷＦＡ）ホットスポット（ＨＳ）２．０からのアクセスネットワーククエリプロトコル（ＡＮＱＰ）を介し取得されるワイドエリアネットワーク（ＷＡＮ）メトリック要素から取得されてもよく、ＴｈｒｅｓｈＢａｃｋｈＲａｔｅＤ１ＷＬＡＮ，Ｈｉｇｈは、ＷＬＡＮへのトラフィック誘導のためＵＥ１０４により使用されるバックホール利用可能ダウンリンク帯域幅閾値であってもよく、ＢａｃｋｈａｕｌＲａｔｅＵ１ＷＬＡＮは、アップリンク速度＊（１−アップリンクロード／２５５）として計算されうるバックホール利用可能アップリンク帯域幅であってもよく、ここで、アップリンク速度及びアップリンクロードパラメータはＷＦＡ  ＨＳ２．０からのＡＮＱＰシグナリングを介し取得されるＷＡＮメトリック要素から取得されてもよく、ＴｈｒｅｓｈＢａｃｋｈＲａｔｅＵ１ＷＬＡＮ，Ｈｉｇｈは、ＷＬＡＮへのトラフィック誘導のためＵＥ１０４により使用されるバックホール利用可能アップリンク帯域幅閾値であり、ＢｅａｃｏｎＲＳＳＩは、ＷＬＡＮビーコンにおいてＵＥ１０４により測定されるＲＳＳＩであり、ＴｈｒｅｓｈＲＳＳＩＷＬＡＮ，Ｈｉｇｈは、ＷＬＡＮへのトラフィック誘導のためＵＥ１０４により使用されるビーコンＲＳＳＩ閾値であってもよい。従って、制御回路１０８は、ＷＬＡＮチャネル使用が対応するＷＬＡＮチャネル使用閾値未満であり、ＷＬＡＮダウンリンクバックホールレートが対応するＷＬＡＮダウンリンクバックホールレート閾値より大きく、ＷＬＡＮアップリンクバックホールレートが対応するＷＬＡＮアップリンクバックホールレート閾値より大きく、ビーコンＲＳＳＩが対応するＷＬＡＮビーコンＲＳＳＩ閾値より大きい場合、ＷＬＡＮ条件が充足されると判断してもよい。
【００３０】
いくつかの実施例では、ＵＥ１０４は、ここに説明される閾値のサブセットのみを受信してもよい。このような実施例では、ＵＥ１０４は、対応する閾値が提供されていない測定結果の評価を排除してもよい。
【００３１】
複数のターゲットＷＬＡＮが上記の条件を充足する実施例では、利用可能なターゲットＷＬＡＮの１つを選択することはＵＥ１０４次第である。いくつかの実施例では、各ターゲットＷＬＡＮは、ＵＥ１０４が関連するＷＬＡＮを選択する関連するプライオリティを有してもよい。関連するプライオリティは、ＲＡＮ支援パラメータにおけるＷＬＡＮ識別子と共に送信されてもよい。
【００３２】
第２のＡＮＳＴＳルールセットは、トラフィックがＷＬＡＮからＥＵＴＲＡＮセルに誘導される状況を説明してもよい。上記説明と同様に、これらの状況は、ＲＡＮ支援パラメータにおいて提供される各種閾値と比較して、ＷＬＡＮ及びＥＵＴＲＡＮセルにおける動作状態に基づくものであってもよい。いくつかの実施例では、所定の条件が充足される場合、制御回路１０８におけるアクセスストレイタムは、例えば、非アクセスストレイタムなどの制御回路１０８の上位レイヤにＷＬＡＮからＥＵＴＲＡＮセルにトラフィックを誘導するための特定の条件が所定の時間間隔ＴｓｔｅｅｒｉｎｇＷＬＡＮにおいて充足されるときを通知してもよい。
【００３３】
ＷＬＡＮからターゲットＥＵＴＲＡＮへのトラフィックを誘導するためのＷＬＡＮ条件は、ＣｈａｎｎｅｌＵｔｉｌｉｚａｔｉｏｎＷＬＡＮ＞ＴｈｒｅｓｈＣｈＵｔｉｌＷＬＡＮ，Ｈｉｇｈ、ＢａｃｋｈａｕｌＲａｔｅＤ１ＷＬＡＮ＜ＴｈｒｅｓｈＢａｃｋｈＲａｔｅＤ１ＷＬＡＮ，Ｌｏｗ、ＢａｃｋｈａｕｌＲａｔｅＵ１ＷＬＡＮ＜ＴｈｒｅｓｈＢａｃｋｈＲａｔｅＵ１ＷＬＡＮ，Ｌｏｗ、又はＢｅａｃｏｎＲＳＳＩ＜ＴｈｒｅｓｈＲＳＳＩＷＬＡＮ，Ｌｏｗを含むものであってもよく、ここで、ＴｈｒｅｓｈＣｈＵｔｉｌＷＬＡＮ，Ｈｉｇｈは、ＥＵＴＲＡＮへのトラフィック誘導のためＵＥ１０４により用いられるＷＬＡＮチャネル使用（ＢＳＳロード）閾値であり、ＴｈｒｅｓｈＢａｃｋｈＲａｔｅＤ１ＷＬＡＮ，Ｌｏｗは、ＥＵＴＲＡＮへのトラフィック誘導のためＵＥ１０４により用いられるバックホール利用可能ダウンリンク帯域幅閾値であり、ＴｈｒｅｓｈＢａｃｋｈＲａｔｅＵ１ＷＬＡＮ，Ｌｏｗは、ＥＵＴＲＡＮへのトラフィック誘導のためＵＥ１０４により用いられるバックホール利用可能アップリンク帯域幅閾値であり、ＴｈｒｅｓｈＲＳＳＩＷＬＡＮ，Ｌｏｗは、ＥＵＴＲＡＮへのトラフィック誘導のためＵＥ１０４により用いられるビーコンＲＳＳＩ閾値である。従って、制御回路１０８は、ＷＬＡＮチャネル使用が対応するＷＬＡＮチャネル使用閾値より大きく、ＷＬＡＮダウンリンクバックホールレートが対応するＷＬＡＮダウンリンクバックホールレート閾値未満であり、ＷＬＡＮアップリンクバックホールレートが対応するＷＬＡＮアップリンクバックホールレート閾値未満であり、又は、ビーコンＲＳＳＩは対応するＷＬＡＮビーコンＲＳＳＩ閾値未満である場合、ターゲットＥＵＴＲＡＮセルへのトラフィックを誘導するためのＷＬＡＮ条件が充足されると判断してもよい。
【００３４】
ＷＬＡＮからターゲットＥＵＴＲＡＮセルにトラフィックを誘導するためのＥＵＴＲＡＮ条件は、Ｑｒｘｌｅｖｍｅａｓ＞ＴｈｒｅｓｈＳｅｒｖｉｎｇＯｆｆｌｏａｄＷＬＡＮ，ＨｉｇｈＰ、及びＱｑｕａｌｍｅａｓ＞ＴｈｒｅｓｈＳｅｒｖｉｎｇＯｆｆｌｏａｄＷＬＡＮ，ＨｉｇｈＱを含むものであってもよく、ここで、ＴｈｒｅｓｈＳｅｒｖｉｎｇＯｆｆｌｏａｄＷＬＡＮ，ＨｉｇｈＰは、ＥＵＴＲＡＮへのトラフィック誘導のためＵＥ１０４により用いられるＲＳＲＰ閾値（ｄＢＭによる）であり、ＴｈｒｅｓｈＳｅｒｖｉｎｇＯｆｆｌｏａｄＷＬＡＮ，ＨｉｇｈＱは、ＥＵＴＲＡＮへのトラフィック誘導のためＵＥ１０４により用いられるＲＳＲＱ閾値（ｄＢによる）であってもよい。従って、制御回路１０８は、ＥＵＴＲＡＮの測定されたセル受信レベル値が対応するＲＳＲＰ閾値より大きく、ＥＵＴＲＡＮの測定されたセル品質値が対応するＲＳＲＱ閾値より大きい場合、ターゲットＥＵＴＲＡＮセルにトラフィックを誘導するためのＥＵＴＲＡＮ条件が充足されると判断してもよい。
【００３５】
上記において理解できるように、以下のテーブル１において、ＲＡＮ支援パラメータは、ＥＵＴＲＡＮからＷＬＡＮにトラフィックを誘導するための第１のＥＵＴＲＡＮ／ＷＬＡＮ閾値と、ＷＬＡＮからＥＵＴＲＡＮにトラフィックを誘導するための第２のＥＵＴＲＡＮ／ＷＬＡＮ閾値とを含むものであってもよい。異なる閾値は、ＥＵＴＲＡＮとＷＬＡＮとの間のピンポン現象を回避するのに十分な程度によって離間されてもよい。従って、高低の閾値は、トラフィック誘導が使用されない許容される動作範囲を規定してもよい。
【００３６】
いくつかの実施例では、制御回路１０８の上位レイヤがユーザ選好に矛盾する制御回路１０８のアクセスストレイタムによって提供される通知を受信した場合、又はＵＥ１０４がアクティブなＡＮＤＳＦポリシーを有する場合、上位レイヤは当該通知を無視し、トラフィック誘導を行わなくてもよい。
【００３７】
上述されるように、いくつかの実施例では、ＲＡＮ支援パラメータは、ＳｙｓｔｅｍＩｎｆｏｒｍａｔｉｏｎメッセージにより送信される。ＳｙｓｔｅｍＩｎｆｏｒｍａｔｉｏｎメッセージは、１つ以上のシステム情報ブロック（ＳＩＢ）を伝送するのに利用されてもよい。含まれるＳＩＢは、同じ周期で送信されてもよい。ＳｙｓｔｅｍＩｎｆｏｒｍａｔｉｏｎメッセージは、ブロードキャスト制御チャネル（ＢＣＣＨ）論理チャネルを介しＥＵＴＲＡＮからＵＥ１０４に送信されてもよく、トランスペアレントモード（ＴＭ）の無線リンク制御（ＲＬＣ）サービスアクセスポイント（ＳＡＰ）を有してもよい。
【００３８】
いくつかの実施例では、ＳｙｓｔｅｍＩｎｆｏｒｍａｔｉｏｎメッセージは、以下のようなＡＳＮ（Ａｂｓｔｒａｃｔ  Ｓｙｎｔａｘ  Ｎｏｔａｔｉｏｎ）を有してもよい。
【００３９】
【表１】
0006498698.tif 000002
0006498698.tif 000003
0006498698.tif 000004
ＳｙｓｔｅｍＩｎｆｏｒｍａｔｉｏｎメッセージシステムの上記のＡＳＮは、いくつかの実施例ではＲＡＮ支援パラメータを含むことが可能なシステム情報ブロックタイプ１７及び１８の情報を含む。一例では、ＲＡＮ支援パラメータの各種閾値はＳｙｓｔｅｍＩｎｆｏｒｍａｔｉｏｎＢｌｏｃｋＴｙｐｅ１７に含まれてもよく、ターゲットＷＬＡＮ識別子のリストはＳｙｓｔｅｍＩｎｆｏｒｍａｔｉｏｎＢｌｏｃｋＴｙｐｅ１８に含まれてもよい。
【００４０】
ＳｙｓｔｅｍＩｎｆｏｒｍａｔｉｏｎＢｌｏｃｋＴｙｐｅ１７の情報要素は、いくつかの実施例による以下に示されるようなＡＮＳフォーマットを有してもよい。
【００４１】
【表２】
0006498698.tif 000005
0006498698.tif 000006
ＳｙｓｔｅｍＩｎｆｏｒｍａｔｉｏｎＢｌｏｃｋＴｙｐｅ１７のフィールド記述は、テーブル１に記載される。
【００４２】
【表３】
0006498698.tif 000007
いくつかの実施例では、ＵＥ１０４に３ＧＰＰ  ＴＳ２４．３１２  ｖ１２．４．０（２０１４年３月１７日）に規定されたようなＡＮＤＳＦポリシーが提供された場合、ＳｙｓｔｅｍＩｎｆｏｒｍａｔｉｏｎＢｌｏｃｋＴｙｐｅ１７においてＲＡＮ支援パラメータを受信すると、ＵＥ１０４の下位レイヤは、アクセスネットワーク選択及びＥＵＴＲＡＮとＷＬＡＮとの間のトラフィック誘導のためのＲＡＮ支援パラメータをＵＥ１０４の上位レイヤに提供してもよい。
【００４３】
ＳｙｓｔｅｍＩｎｆｏｒｍａｔｉｏｎＢｌｏｃｋＴｙｐｅ１８の情報要素は、いくつかの実施例による以下に示されるＡＮＳフォーマットを有してもよい。
【００４４】
【表４】
0006498698.tif 000008
ｗｌａｎＩｄｅｎｔｉｆｉｅｒｓＬｉｓｔＰｅｒＰＬＭＮは、ＳｙｓｔｅｍＩｎｆｏｒｍａｔｉｏｎＢｌｏｃｋＴｙｐｅ１のｐｌｍｎ−ＩｄｅｎｔｉｔｙＬｉｓｔにおいてＰＬＭＮが現れるのと同じ順序でリストされるＰＬＭＮ毎のＷＬＡＮアクセスネットワーク選択のためのＷＬＡＮ識別子のリストであってもよい。ＷＬＡＮ識別子のリストは、ＵＥ１０４にＡＮＤＳＦポリシーが提供されていない場合、ＵＥ１０４が何れかのＷＬＡＮに接続可能かを示すものであってもよい。
【００４５】
いくつかの実施例では、ＲＡＮ支援パラメータを実際に搬送するＳＩＢＴｙｐｅに加えて、ＳＩＢタイプへの変更は、ＲＡＮ支援パラメータを説明するよう設けられてもよい。例えば、ＳｙｓｔｅｍＩｎｆｏｒｍａｔｉｏｎＢｌｏｃｋＴｙｐｅ１メッセージは、以下のようなＡＳＮを含むよう更新されてもよい。
【００４６】
【表５】
0006498698.tif 000009
0006498698.tif 000010
0006498698.tif 000011
0006498698.tif 000012
理解できるように、ＳＩＢ−Ｔｙｐｅは、上述するようなＲＡＮ支援パラメータを搬送可能なＳＩＢ−Ｔｙｐｅ１７及び１８を含むものであってもよい。
【００４７】
ＳｙｓｔｅｍＩｎｆｏｒｍａｔｉｏｎＢｌｏｃｋＴｙｐｅ１のフィールド記述は、３ＧＰＰ  ＴＳ３６．３３１  ｖ１２．１．０（２０１４年３月１９日）によるものであってもよい。
【００４８】
いくつかの実施例では、ＲＡＮアクセスパラメータを含むシステム情報は、ＲＲＣ＿ＣＯＮＮＥＣＴＥＤ状態である場合、ＵＥ１０４が有効なバージョンを有することを保証すべき“ｒｅｑｕｉｒｅｄ”システム情報として参照されてもよい。
【００４９】
いくつかの実施例では、ＲＡＮアクセスパラメータは、ＲＲＣＣｏｎｎｅｃｔｉｏｎＲｅｃｏｎｆｉｇｕｒａｔｉｏｎメッセージなどの専用シグナリングにおいて提供されてもよい。ＲＲＣＣｏｎｎｅｃｔｉｏｎＲｅｃｏｎｆｉｇｕｒａｔｉｏｎメッセージは、ＲＲＣ接続を変更するためのコマンドである。それは、何れかの関連する専用のＮＡＳ情報セキュリティコンフィギュレーションを含む測定設定、モビリティ制御、無線リソース設定（無線ベアラ、ＭＡＣメインコンフィギュレーション及び物理チャネルコンフィギュレーションを含む）の情報を搬送する。ＲＲＣＣｏｎｎｅｃｔｉｏｎＲｅｃｏｎｆｉｇｕｒａｔｉｏｎメッセージは、ダウンリンク制御チャネル（ＤＣＣＨ）においてシグナル無線ベアラ１（ＳＲＢ１）によりＵＥ１０４に送信され、アクノリッジモード（ＡＭ）ＲＬＣ−ＳＡＰを有してもよい。いくつかの実施例では、ＲＲＣＣｏｎｎｅｃｔｉｏｎＲｅｃｏｎｆｉｇｕｒａｔｉｏｎメッセージは、以下に示されるようなＡＳＮを有してもよい。
【００５０】
【表６】
0006498698.tif 000013
0006498698.tif 000014
0006498698.tif 000015
0006498698.tif 000016
ＲＲＣＣｏｎｎｅｃｔｉｏｎＲｅｃｏｎｆｉｇｕｒａｔｉｏｎメッセージのフィールド記述はテーブル２ａにおいて説明され、条件項はテーブル２ｂに説明される。
【００５１】
【表７】
0006498698.tif 000017
ＲＲＣＣｏｎｎｅｃｔｉｏｎＲｅｃｏｎｆｉｇｕｒａｔｉｏｎメッセージのＷｌａｎＯｆｆｌｏａｄＰａｒａｍＤｅｄｉｃａｔｅｄ情報要素は、ＥＵＴＲＡＮとＷＬＡＮとの間のトラフィック誘導に関連する情報を含んでもよい。ＷｌａｎＯｆｆｌｏａｄＰａｒａｍＤｅｄｉｃａｔｅｄは、いくつかの実施例による以下に示されるＡＮＳフォーマットを有してもよい。
【００５２】
【表８】
0006498698.tif 000018
ｔ３５０は、ＲＡＮ支援パラメータの有効性時間であってもよい。ＵＥ１０４は、ＲＡＮ支援パラメータについて受信した有効性時間ｔ３５０によりＲＲＣ＿ＩＤＬＥに入ると、有効性タイマＴ３５０をスタートしてもよい。ＵＥ１０４がセル再選択又はハンドオーバに従事している場合、それは有効性タイマを停止する。有効性タイマが満了した場合、ＵＥ１０４は、専用シグナリングによって提供されるＲＡＮ支援パラメータを破棄してもよい。
【００５３】
図２は、いくつかの実施例によるＵＥ１０４などのユーザ装置のトラフィック誘導処理２００を示すフローチャートである。いくつかの実施例では、ＵＥ１０４は、実行されると、ＵＥにトラフィック誘導処理２００を実行させる命令を有する１つ以上の非一時的なコンピュータ可読媒体を有してもよい。専用回路は、さらに／あるいは、トラフィック誘導処理２００の１つ以上の側面を実行するのに利用されてもよい。
【００５４】
トラフィック誘導処理２００は、２０４において、ＵＥ１０４がＲＡＮ支援パラメータを判断することを含むものであってもよい。いくつかの実施例では、ＵＥ１０４は、ネットワークコントローラ１４８又はｅＮＢ１１６内にあってもよい設定回路１５６から受信したメッセージを処理することによってＲＡＮ支援パラメータを決定してもよい。設定回路１５６がネットワークコントローラ１４８に配置される実施例では、ＲＡＮ支援パラメータは、ｅＮＢ１１６を介しＵＥ１０４に提供されてもよい。ＲＡＮ支援パラメータは、専用又は報知シグナリングを介しｅＮＢ１１６からＵＥ１０４に提供されてもよい。
【００５５】
トラフィック誘導処理は、２０８において、ＵＥ１０４がＥＵＴＲＡＮ及びＷＬＡＮなどのアクセスネットワーク（ＡＮ）の条件が所定の期間においてＡＮＳＴＳルールを充足しているか判断することを含むものであってもよい。２０８における判断は、２０４において受信したＲＡＮ支援パラメータに基づくものであってもよい。ＵＥ１０４は、例えば、ＴＳｔｅｅｒｉｎｇＷＬＡＮなどの値によるタイマを設定し、当該タイマの満了まで条件をモニタリングしてもよい。
【００５６】
ＡＮの条件は、例えば、ＡＰ１２４又はｅＮＢ１１６又はこれら２つの組み合わせなど、ＡＮのノードからの報告から直接的な測定によって決定されてもよい。
【００５７】
２０８において、ＡＮが所定の期間において所定の条件を充足しているとＵＥが判断した場合、ＵＥは、２１２において、適切なアクセスネットワークにトラフィックを誘導する。いくつかの実施例では、制御回路１０８のアクセスストレイタムは、条件をモニタリングし、条件の充足を制御回路１０８の非アクセスストレイタムに通知してもよい。当該時点において、非アクセスストレイタムは、例えば、特定のＡＰＮの全てのＥＰＳベアラなどのトラフィックをターゲットとなるアクセスノードに転送し始めてもよい。
【００５８】
図３は、いくつかの実施例によるｅＮＢ１１６又はネットワークコントローラ１４８などのネットワークノードの設定処理３００を示すフローチャートである。いくつかの実施例では、ネットワークノードは、設定処理３００を実行するための回路を有してもよい。例えば、ネットワークノードは、実行されると、ネットワークノードに設定処理３００を実行させる命令を有する１つ以上の非一時的なコンピュータ可読媒体を有してもよい。専用回路はさらに／あるいは、設定処理３００の１つ以上の側面を実行するのに利用されてもよい。いくつかの実施例では、設定処理３００の側面の一部は、ネットワークコントローラ１４８などの第１のネットワークノードによって実行されてもよく、設定処理３００の他の側面は、ｅＮＢ１１６などの第２のネットワークノードによって実行されてもよい。
【００５９】
設定処理３００は、３０４において、ネットワークノードがＲＡＮアクセスパラメータを決定することを含むものであってもよい。いくつかの実施例では、ネットワークノードは、ＲＡＮアクセスパラメータ（ＷＬＡＮ識別子）の少なくとも一部によって予め設定されるか、又は他のノードからの報告においてそれらを受信してもよい。いくつかの実施例では、ネットワークノードは、ＲＡＮアクセスパラメータの少なくとも一部を計算してもよい。例えば、ネットワークノードは、それのロードに基づき各種閾値を計算してもよい。
【００６０】
設定処理３００は、３０８において、ＲＡＮアクセスパラメータを含むシステム情報（ＳＩ）メッセージを送信することを含むものであってもよい。ＳＩメッセージは、上述されるようなＳｙｓｔｅｍＩｎｆｏｒｍａｔｉｏｎＢｌｏｃｋＴｙｐｅ１、ＳｙｓｔｅｍＩｎｆｏｒｍａｔｉｏｎＢｌｏｃｋＴｙｐｅ１７又はＳｙｓｔｅｍＩｎｆｏｒｍａｔｉｏｎＢｌｏｃｋＴｙｐｅ１８メッセージを含むものであってもよい。いくつかの実施例では、ＳＩメッセージは、報知シグナリングとして送信されてもよい（定期的、イベントドリブン又はそれ以外）。
【００６１】
設定処理３００は、３１２において、ネットワークノードが専用シグナリングが必要とされているか判断することを含むものであってもよい。特定の又は更新されたＲＡＮアクセスパラメータが特定のＵＥに提供されるべきであるとネットワークノードが判断した場合、専用シグナリングが利用されてもよい。
【００６２】
３１２において、専用シグナリングが必要とされないと判断された場合、設定処理３００はＳＩメッセージの送信にループバックしてもよい。
【００６３】
３１２において、専用シグナリングが必要とされていると判断された場合、設定処理３００は、ネットワークノードが何れか特定の又は更新されたＲＡＮアクセスパラメータを含むＲＲＣメッセージをＵＥに送信することによって、３１６に進捗する。
【００６４】
３１６の後、設定処理３００は、３０８において、ＳＩメッセージの送信にループバックしてもよい。
【００６５】
ここに説明されるようなＵＥ１０４、ｅＮＢ１１６又はネットワークコントローラ１４８は、何れか適切なハードウェア、ファームウェア又は所望されるように設定されたソフトウェアを用いたシステムにおいて実現されてもよい。図４は、一実施例について、図示されるように互いに結合された無線周波数（ＲＦ）回路４０４、ベースバンド回路４０８、アプリケーション回路４１２、メモリ／ストレージ４１６、ディスプレイ４２０、カメラ４２４、センサ４２８、入出力（Ｉ／Ｏ）インタフェース４３２又はネットワークインタフェース４３６を示す。
【００６６】
アプリケーション回路４１２は、限定することなく、１つ以上のシングルコア又はマルチコアプロセッサなどの回路を含むものであってもよい。プロセッサは、汎用プロセッサと専用プロセッサ（例えば、グラフィクスプロセッサ、アプリケーションプロセッサなど）の何れかの組み合わせを有してもよい。プロセッサは、メモリ／ストレージ４１６と結合され、システム４００上で実行される各種アプリケーション又はオペレーティングシステムを可能にするためのメモリ／ストレージ４１６に記憶された命令を実行するよう構成されてもよい。
【００６７】
ベースバンド回路４０８は、限定することなく、ベースバンドプロセッサなどの１つ以上のシングルコア又はマルチコアプロセッサなどの回路を含むものであってもよい。ベースバンド回路４０８は、ＲＦ回路４０４を介し１つ以上の無線アクセスネットワークとの通信を可能にする各種無線制御機能を処理してもよい。無線制御機能は、限定することなく、信号変調、符号化、復号化、無線周波数シフト処理などを含むものであってもよい。いくつかの実施例では、ベースバンド回路４０８は、１つ以上の無線技術と互換的な通信を提供してもよい。例えば、いくつかの実施例では、ベースバンド回路４０８は、ＥＵＴＲＡＮ若しくは他のＷＭＡＮ（Ｗｉｒｅｌｅｓｓ  Ｍｅｔｒｏｐｏｌｉｔａｎ  Ａｒｅａ  Ｎｅｔｗｏｒｋ）、ＷＬＡＮ又はＷＰＡＮ（Ｗｉｒｅｌｅｓｓ  Ｐｅｒｓｏｎａｌ  Ａｒｅａ  Ｎｅｔｗｏｒｋ）との通信をサポートしてもよい。ベースバンド回路４０８が複数の無線プロトコルの無線通信をサポートするよう構成される実施例は、マルチモードベースバンド回路として参照されうる。
【００６８】
各種実施例では、ベースバンド回路４０８は、ベースバンド周波数内にあるとして厳密にはみなされない信号により動作する回路を有してもよい。例えば、いくつかの実施例では、ベースバンド回路４０８は、ベースバンド周波数と無線周波数との間の中間周波数を有する信号により動作するための回路を有してもよい。
【００６９】
いくつかの実施例では、制御回路１０８若しくは１４０又は設定処理１５６は、アプリケーション回路４１２又はベースバンド回路４０８に実現されてもよい。
【００７０】
ＲＦ回路４０４は、非固定媒体を介し変調された電磁放射を用いて無線ネットワークとの通信を可能にする。各種実施例では、ＲＦ回路４０４は、無線ネットワークとの通信を可能にするためのスイッチ、フィルタ、アンプなどを有してもよい。
【００７１】
各種実施例では、ＲＦ回路４０４は、無線周波数内にあるとして厳密にはみなされない信号により動作するための回路を有してもよい。例えば、いくつかの実施例では、ＲＦ回路４０４は、ベースバンド周波数と無線周波数との間にある中間周波数を有する信号により動作するための回路を有してもよい。
【００７２】
いくつかの実施例では、ＥＵＴＲＡＮ無線機１１２、ＷＬＡＮ無線機１２０又は無線送受信機１３６は、ＲＦ回路４０４に実現されてもよい。
【００７３】
いくつかの実施例では、ベースバンド回路４０８、アプリケーション回路４１２又はメモリ／ストレージ４１６のコンポーネントの一部又は全ては、システム・オン・チップ（ＳＯＣ）上で一緒に実現されてもよい。
【００７４】
メモリ／ストレージ４１６は、例えば、システム４００のデータ又は命令をロード及び記憶するのに利用される。一実施例のメモリ／ストレージ４１６は、適切な揮発性メモリ（例えば、ＤＲＡＭ（Ｄｙｎａｍｉｃ  Ｒａｎｄｏｍ  Ａｃｃｅｓｓ  Ｍｅｍｏｒｙ）など）又は不揮発性メモリ（例えば、フラッシュメモリなど）の何れかの組み合わせを含むものであってもよい。
【００７５】
各種実施例では、Ｉ／Ｏインタフェース４３２は、システム４００とのユーザインタフェースを可能にするよう設計された１つ以上のユーザインタフェース又は周辺コンポーネントのシステム４００とのインタラクションを可能にするよう設計された周辺コンポーネントインタフェースを有してもよい。ユーザインタフェースは、限定することなく、物理的なキーボード若しくはキーパッド、タッチパッド、スピーカ、マイクロフォンなどを含むものであってもよい。周辺コンポーネントインタフェースは、限定することなく、不揮発性メモリポート、ＵＳＢ（Ｕｎｉｖｅｒｓａｌ  Ｓｅｒｉａｌ  Ｂｕｓ）ポート、オーディオジャック及び電源インタフェースを含むものであってもよい。
【００７６】
各種実施例では、センサ４２８は、システム４００に関連する環境状態又は位置情報を決定するための１つ以上の検知デバイスを有してもよい。いくつかの実施例では、センサは、限定することなく、ジャイロセンサ、加速度計、近接センサ、周辺光センサ及び測位ユニットを含むものであってもよい。測位ユニットはまた、ＧＰＳ（Ｇｌｏｂａｌ  Ｐｏｓｉｔｉｏｎｉｎｇ  Ｓｙｓｔｅｍ）衛星などの測位ネットワークのコンポーネントと通信するためのベースバンド回路４０８又はＲＦ回路４０４の一部であってもよいし、又はやりとりしてもよい。
【００７７】
各種実施例では、ディスプレイ４２０はディスプレイ（例えば、液晶ディスプレイ、タッチ画面ディスプレイなど）を有してもよい。
【００７８】
各種実施例では、ネットワークインタフェース４３６は、１つ以上の有線ネットワークを介し通信するための回路を有してもよい。送受信機１４４又は１５２は、ネットワークインタフェース４３６に実現されてもよい。
【００７９】
各種実施例では、システム４００は、限定することなく、ラップトップ計算デバイス、タブレット計算デバイス、ネットブック、ウルトラブック、スマートフォンなどのモバイル計算デバイス、又はｅＮＢ若しくはネットワークコントローラなどのネットワークノードであってもよい。各種実施例では、システム４００は、より多くの又はより少ないコンポーネント又は異なるアーキテクチャを有してもよい。
【００８０】
以下のパラグラフは、各種実施例の具体例を説明する。
【００８１】
具体例１は、ユーザ装置（ＵＥ）であって、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を介し通信するための第１の無線機と、ＷＬＡＮ（Ｗｉｒｅｌｅｓｓ  Ｌｏｃａｌ  Ａｒｅａ  Ｎｅｔｗｏｒｋ）を介し通信するための第２の無線機と、第１及び第２の無線機と結合された制御回路とを有し、制御回路は、ブロードキャストシステム情報ブロック又はＵＥに専用の無線リソース制御（ＲＲＣ）接続リコンフィギュレーションメッセージにおいて、ＥＵＴＲＡＮとＷＬＡＮとの間のトラフィック誘導及びアクセスネットワーク選択のための無線アクセスネットワーク（ＲＡＮ）支援パラメータを受信し、ＲＡＮ支援パラメータに基づき第１の無線機又は第２の無線機を介しトラフィックを誘導するユーザ装置を含む。
【００８２】
具体例２は、具体例１のＵＥを含み、ＲＡＮ支援パラメータは、ＲＲＣ接続リコンフィギュレーションメッセージにおける第１のＲＡＮ支援パラメータであり、制御回路は更に、システム情報ブロックにおいて第２のＲＡＮ支援パラメータを受信し、第２のＲＡＮ支援パラメータを破棄し、第１のＲＡＮ支援パラメータを保存する。
【００８３】
具体例３は、具体例１〜２の何れかのＵＥを含み、制御回路は、ＲＲＣ接続リコンフィギュレーションメッセージの情報要素においてＲＡＮ支援パラメータを受信する。
【００８４】
具体例４は、具体例３のＵＥを含み、ＲＡＮ支援パラメータは、タイマ値を有し、制御回路は、タイマ値によってタイマを設定し、ＲＲＣアイドルモードに入るとタイマをスタートし、タイマの満了に応答して、ＲＲＣ接続リコンフィギュレーションメッセージにおいて受信したＲＡＮ支援パラメータを破棄する。
【００８５】
具体例５は、具体例１〜４の何れかのユーザ装置を含み、ＲＡＮ支援パラメータは、ＷＬＡＮに対応するＷＬＡＮ識別子、ＲＳＲＰ閾値及びＲＳＲＱ閾値を含み、制御回路は更に、第１の無線機を介しＥＵＴＲＡＮにトラフィックを送信し、ＥＵＴＲＡＮの測定されたセル受信レベル値がＲＳＲＰ閾値未満であるか、又はＥＵＴＲＡＮの測定されたセル品質値がＲＳＲＱ閾値未満であると判断し、ＥＵＴＲＡＮの測定されたＲＳＲＰがＲＳＲＰ閾値未満であるか、又はＥＵＴＲＡＮの測定されたＲＳＲＱがＲＳＲＱ閾値未満であるという判断に基づき、第２の無線機を介しＷＬＡＮにトラフィックを誘導する。
【００８６】
具体例６は、具体例５のＵＥを含み、ＲＡＮ支援パラメータは更に、ＷＬＡＮチャネル使用閾値、ＷＬＡＮダウンリンクバックホールレート閾値、ＷＬＡＮアップリンクバックホールレート閾値及びＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値を含み、制御回路は更に、ＷＬＡＮチャネル使用がＷＬＡＮチャネル使用閾値未満であり、ＷＬＡＮダウンリンクバックホールレートがＷＬＡＮダウンリンクバックホールレート閾値より大きく、ＷＬＡＮアップリンクバックホールレートがＷＬＡＮアップリンクバックホールレート閾値より大きく、及びビーコンＲＳＳＩがＷＬＡＮビーコンＲＳＳＩ閾値より大きいと判断し、ＷＬＡＮチャネル使用がＷＬＡＮチャネル使用閾値未満であり、ＷＬＡＮダウンリンクバックホールレートがＷＬＡＮダウンリンクバックホールレート閾値より大きく、ＷＬＡＮアップリンクバックホールレートがＷＬＡＮアップリンクバックホールレート閾値より大きく、及びビーコンＲＳＳＩがＷＬＡＮビーコンＲＳＳＩ閾値より大きいという判断に更に基づき、第２の無線機を介しＷＬＡＮにトラフィックを誘導する。
【００８７】
具体例７は、具体例１〜６の何れかのＵＥを含み、ＲＡＮ支援パラメータは、ＷＬＡＮチャネル使用閾値、ＷＬＡＮダウンリンクバックホールレート閾値、ＷＬＡＮアップリンクバックホールレート閾値、及びＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値を含み、コントローラは更に、第２の無線機を介しＷＬＡＮにトラフィックを送信し、ＷＬＡＮチャネル使用がＷＬＡＮチャネル使用閾値より大きいか、ＷＬＡＮダウンリンクバックホールレートがＷＬＡＮダウンリンクバックホールレート閾値未満であるか、ＷＬＡＮアップリンクバックホールレートがＷＬＡＮアップリンクバックホールレート閾値未満であるか、又は、ビーコンＲＳＳＩがＷＬＡＮビーコンＲＳＳＩ閾値未満であると判断し、ＷＬＡＮチャネル使用がＷＬＡＮチャネル使用閾値より大きいか、ＷＬＡＮダウンリンクバックホールレートがＷＬＡＮダウンリンクバックホールレート閾値未満であるか、ＷＬＡＮアップリンクバックホールレートがＷＬＡＮアップリンクバックホールレート閾値未満であるか、又は、ビーコンＲＳＳＩがＷＬＡＮビーコンＲＳＳＩ閾値未満であるという判断に基づき、第１の無線機を介しＥＵＴＲＡＮにトラフィックを誘導する。
【００８８】
具体例８は、具体例７のＵＥを含み、ＲＡＮ支援パラメータは更に、ＲＳＲＰ（Ｒｅｆｅｒｅｎｃｅ  Ｓｉｇｎａｌ  Ｒｅｃｅｉｖｅｄ  Ｐｏｗｅｒ）閾値及びＲＳＲＱ（Ｒｅｆｅｒｅｎｃｅ  Ｓｉｇｎａｌ  Ｒｅｃｅｉｖｅｄ  Ｑｕａｌｉｔｙ）閾値を含み、制御回路は更に、ＥＵＴＲＡＮの測定されたセル受信レベル値がＲＳＲＰ閾値より大きく、ＥＵＴＲＡＮの測定されたセル品質値がＲＳＲＱ閾値より大きいと判断し、ＥＵＴＲＡＮに対応する測定されたセル受信レベル値がＲＳＲＰ閾値より大きく、ＥＵＴＲＡＮに対応する測定されたセル品質値がＲＳＲＱ閾値より大きいという判断に基づき、第１の無線機を介しＥＵＴＲＡＮにトラフィックを誘導する。
【００８９】
具体例９は、具体例１〜８の何れかのＵＥを含み、第１及び第２の無線機と結合されるマルチモードベースバンド回路を更に有する。
【００９０】
具体例１０は、エンハンストノードＢ（ｅＮＢ）回路であって、ｅＮＢによって提供される複数のＰＬＭＮ（Ｐｕｂｌｉｃ  Ｌａｎｄ  Ｍｏｂｉｌｅ  Ｎｅｔｗｏｒｋ）のそれぞれのＲＡＮ支援パラメータのセットを決定し、ここで、ＲＡＮ支援パラメータの個々のセットは、ＥＵＴＲＡＮ（Ｅｖｏｌｖｅｄ  Ｕｎｉｖｅｒｓａｌ  Ｔｅｒｒｓｔｒｉａｌ  Ｒａｄｉｏ  Ａｃｃｅｓｓ  Ｎｅｔｗｏｒｋ）からＷＬＡＮ（Ｗｉｒｅｌｅｓｓ  Ｌｏｃａｌ  Ａｒｅａ  Ｎｅｔｗｏｒｋ）にトラフィックを誘導するための第１のＥＵＴＲＡＮ閾値、ＷＬＡＮからＥＵＴＲＡＮにトラフィックを誘導するための第２のＥＵＴＲＡＮ閾値、ＥＵＴＲＡＮからＷＬＡＮにトラフィックを誘導するための第１のＷＬＡＮ閾値及びＷＬＡＮからＥＵＴＲＡＮにトラフィックを誘導するための第２のＷＬＡＮ閾値を含み、複数のＰＬＭＮのそれぞれのＲＡＮ支援パラメータを含む専用又は報知シグナリングメッセージを生成する制御回路と、ＥＵＴＲＡＮのセルにおける１つ以上のユーザ装置（ＵＥ）に専用又はブロードキャストシグナリングメッセージを送信する無線送受信機とを有するｅＮＢ回路を含む。
【００９１】
いくつかの実施例では、具体例１０のｅＮＢ回路は、ネットワークノードからＲＡＮ支援パラメータのセットの第１のＲＡＮ支援パラメータを受信する送受信機を更に有してもよく、第１のＲＡＮ支援パラメータはＷＬＡＮ識別子である。
【００９２】
具体例１１は、具体例１０のｅＮＢ回路を含み、制御回路は、ＲＡＮ支援パラメータを含むシステム情報ブロックを生成し、無線送受信機は、システム情報ブロックを送信する。
【００９３】
具体例１２は、具体例１０のｅＮＢ回路を含み、制御回路は、ＲＡＮ支援パラメータを含む無線リソース制御（ＲＲＣ）接続リコンフィギュレーションメッセージを生成し、無線送受信機は、ＲＲＣ接続リコンフィギュレーションメッセージを送信する。
【００９４】
具体例１３は、具体例１０〜１２の何れかのｅＮＢ回路を含み、第１のＥＵＴＲＡＮ閾値は、第１のＲＳＲＰ（Ｒｅｆｅｒｅｎｃｅ  Ｓｉｇｎａｌ  Ｒｅｃｅｉｖｅｄ  Ｐｏｗｅｒ）閾値又は第１のＲＳＲＱ（Ｒｅｆｅｒｅｎｃｅ  Ｓｉｇｎａｌ  Ｒｅｃｅｉｖｅｄ  Ｑｕａｌｉｔｙ）閾値を含み、第２のＥＵＴＲＡＮ閾値は、第２のＲＳＲＱ閾値又は第２のＲＳＲＱ閾値を含む。
【００９５】
具体例１４は、具体例１０〜１３の何れかのｅＮＢ回路を含み、第１のＷＬＡＮ閾値は、第１のチャネル使用閾値、第１のＷＬＡＮダウンリンクバックホールレート閾値、第１のＷＬＡＮアップリンクバックホールレート又は第１のＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）を含み、第２のＷＬＡＮ閾値は、第２のチャネル使用閾値、第２のＷＬＡＮダウンリンクバックホールレート閾値、第２のＷＬＡＮアップリンクバックホールレート又は第２のＷＬＡＮビーコンＲＳＳＩを含む。
【００９６】
具体例１５は、実行されると、システム情報メッセージ又は無線リソース制御（ＲＲＣ）メッセージを処理し、無線アクセスネットワーク（ＲＡＮ）支援パラメータを決定するステップと、第１及び第２のアクセスネットワークの状態を決定するステップと、第１及び第２のアクセスネットワークの状態がＲＡＮ支援パラメータに基づき所定の期間においてＡＮＳＴＳ（Ａｃｃｅｓｓ  Ｎｅｔｗｏｒｋ  Ｓｅｌｅｃｔｉｏｎ  ａｎｄ  Ｔｒａｆｆｉｃ  Ｓｔｅｅｒｉｎｇ）ルールを充足していると判断するステップと、第１及び第２のアクセスネットワークの状態が所定の期間においてＡＮＳＴＳを充足しているという判断に基づき、第１のアクセスネットワークから第２のアクセスネットワークにトラフィックを誘導するステップとをユーザ装置（ＵＥ）に実行させる命令を有する１つ以上の非一時的なコンピュータ可読媒体を含む。
【００９７】
具体例１６は、具体例１５の１つ以上の非一時的なコンピュータ可読媒体を含み、ＲＡＮ支援パラメータは、ＥＵＴＲＡＮからＷＬＡＮにトラフィックを誘導するための第１のＥＵＴＲＡＮ閾値、ＷＬＡＮからＥＵＴＲＡＮにトラフィックを誘導するための第２のＥＵＴＲＡＮ閾値、ＥＵＴＲＡＮからＷＬＡＮにトラフィックを誘導するための第１のＷＬＡＮ閾値及びＷＬＡＮからＥＵＴＲＡＮにトラフィックを誘導するための第２のＷＬＡＮ閾値を含む。
【００９８】
具体例１７は、具体例１５〜１６の何れかの１つ以上の非一時的なコンピュータ可読媒体を含み、第１のアクセスネットワークはＥＵＴＲＡＮであり、第２のアクセスネットワークはＷＬＡＮであり、ＲＡＮ支援パラメータは、ＷＬＡＮに対応するＷＬＡＮ識別子、ＲＳＲＰ閾値及びＲＳＲＱ閾値を含み、当該命令は、実行されると、ＥＵＴＲＡＮの測定されたセル受信レベル値が前記ＲＳＲＰ閾値未満であるか、又はＥＵＴＲＡＮの測定されたセル品質値がＲＳＲＱ閾値未満であると判断するステップと、ＥＵＴＲＡＮの測定されたＲＳＲＰがＲＳＲＰ閾値未満であるか、又はＥＵＴＲＡＮの測定されたＲＳＲＱがＲＳＲＱ閾値未満であるという判断に基づき、ＷＬＡＮにトラフィックを誘導するステップとをＵＥに更に実行させる。
【００９９】
具体例１８は、具体例１７の何れかの１つ以上の非一時的なコンピュータ可読媒体を含み、ＲＡＮ支援パラメータは更に、ＷＬＡＮチャネル使用閾値、ＷＬＡＮダウンリンクバックホールレート閾値、ＷＬＡＮアップリンクバックホールレート閾値及びＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値を含み、当該命令は、実行されると、ＷＬＡＮチャネル使用がＷＬＡＮチャネル使用閾値未満であり、ＷＬＡＮダウンリンクバックホールレートがＷＬＡＮダウンリンクバックホールレート閾値より大きく、ＷＬＡＮアップリンクバックホールレートがＷＬＡＮアップリンクバックホールレート閾値より大きく、及びビーコンＲＳＳＩがＷＬＡＮビーコンＲＳＳＩ閾値より大きいと判断するステップと、ＷＬＡＮチャネル使用がＷＬＡＮチャネル使用閾値未満であり、ＷＬＡＮダウンリンクバックホールレートがＷＬＡＮダウンリンクバックホールレート閾値より大きく、ＷＬＡＮアップリンクバックホールレートがＷＬＡＮアップリンクバックホールレート閾値より大きく、及びビーコンＲＳＳＩがＷＬＡＮビーコンＲＳＳＩ閾値より大きいという判断に更に基づき、ＷＬＡＮにトラフィックを誘導するステップとをＵＥに更に実行させる。
【０１００】
具体例１９は、具体例１５〜１８の何れかの１つ以上の非一時的なコンピュータ可読媒体を含み、第１のアクセスネットワークはＷＬＡＮであり、第２のアクセスネットワークはＥＵＴＲＡＮであり、ＲＡＮ支援パラメータは、ＷＬＡＮチャネル使用閾値、ＷＬＡＮダウンリンクバックホールレート閾値、ＷＬＡＮアップリンクバックホールレート閾値、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値及びＷＬＡＮビーコンＲＳＳＩ閾値を含み、当該命令は、実行されると、ＷＬＡＮチャネル使用がＷＬＡＮチャネル使用閾値より大きいか、ＷＬＡＮダウンリンクバックホールレートがＷＬＡＮダウンリンクバックホールレート閾値未満であるか、ＷＬＡＮアップリンクバックホールレートがＷＬＡＮアップリンクバックホールレート閾値未満であるか、又はビーコンＲＳＳＩがＷＬＡＮビーコンＲＳＳＩ閾値未満であると判断するステップと、ＷＬＡＮチャネル使用がＷＬＡＮチャネル使用閾値より大きいか、ＷＬＡＮダウンリンクバックホールレートがＷＬＡＮダウンリンクバックホールレート閾値未満であるか、ＷＬＡＮアップリンクバックホールレートがＷＬＡＮアップリンクバックホールレート閾値未満であるか、又はビーコンＲＳＳＩがＷＬＡＮビーコンＲＳＳＩ閾値未満であるという判断に基づき、ＥＵＴＲＡＮにトラフィックを誘導するステップとをＵＥに更に実行させる。
【０１０１】
具体例２０は、具体例１９の１つ以上の非一時的なコンピュータ可読媒体を含み、ＲＡＮ支援パラメータは更に、ＲＳＲＰ閾値及びＲＳＲＱ閾値を含み、当該命令は、実行されると、ＥＵＴＲＡＮの測定されたセル受信レベル値がＲＳＲＰ閾値より大きく、ＥＵＴＲＡＮの測定されたセル品質値がＲＳＲＱ閾値より大きいと判断するステップと、ＥＵＴＲＡＮの測定されたセル受信レベル値がＲＳＲＰ閾値より大きく、ＥＵＴＲＡＮの測定されたセル品質値がＲＳＲＱ閾値より大きいという判断に基づき、ＥＵＴＲＡＮにトラフィックを誘導するステップとをＵＥに更に実行させる。
【０１０２】
具体例２１は、ユーザ装置（ＵＥ）であって、システム情報メッセージ又は無線リソース制御（ＲＲＣ）メッセージを処理し、無線アクセスネットワーク（ＲＡＮ）支援パラメータを決定する手段と、第１及び第２のアクセスネットワークの状態を決定する手段と、第１及び第２のアクセスネットワークの状態がＲＡＮ支援パラメータに基づき所定の期間においてＡＮＳＴＳ（Ａｃｃｅｓｓ  Ｎｅｔｗｏｒｋ  Ｓｅｌｅｃｔｉｏｎ  ａｎｄ  Ｔｒａｆｆｉｃ  Ｓｔｅｅｒｉｎｇ）ルールを充足していると判断する手段と、第１及び第２のアクセスネットワークの状態が所定の期間においてＡＮＳＴＳを充足しているという判断に基づき、第１のアクセスネットワークから第２のアクセスネットワークにトラフィックを誘導する手段とを有するユーザ装置を含む。
【０１０３】
具体例２２は、具体例２１のＵＥを含み、ＲＡＮ支援パラメータは更に、ＥＵＴＲＡＮからＷＬＡＮにトラフィックを誘導するための第１のＥＵＴＲＡＮ閾値、ＷＬＡＮからＥＵＴＲＡＮにトラフィックを誘導するための第２のＥＵＴＲＡＮ閾値、ＥＵＴＲＡＮからＷＬＡＮにトラフィックを誘導するための第１のＷＬＡＮ閾値及びＷＬＡＮからＥＵＴＲＡＮにトラフィックを誘導するための第２のＷＬＡＮ閾値を含む。
【０１０４】
具体例２３は、具体例２１〜２２の何れかのＵＥを含み、第１のアクセスネットワークはＥＵＴＲＡＮであり、第２のアクセスネットワークはＷＬＡＮであり、ＲＡＮ支援パラメータは、ＷＬＡＮに対応するＷＬＡＮ識別子、ＲＳＲＰ閾値及びＲＳＲＱ閾値を含み、ＵＥは更に、ＥＵＴＲＡＮの測定されたセル受信レベル値がＲＳＲＰ閾値未満であるか、又はＥＵＴＲＡＮの測定されたセル品質値がＲＳＲＱ閾値未満であると判断する手段と、ＥＵＴＲＡＮの測定されたＲＳＲＰがＲＳＲＰ閾値未満であるか、又はＥＵＴＲＡＮの測定されたＲＳＲＱがＲＳＲＱ閾値未満であるという判断に基づき、ＷＬＡＮにトラフィックを誘導する手段とを有する。
【０１０５】
具体例２４は、具体例２３のＵＥを含み、ＲＡＮ支援パラメータは更に、ＷＬＡＮチャネル使用閾値、ＷＬＡＮダウンリンクバックホールレート閾値、ＷＬＡＮアップリンクバックホールレート閾値及びＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値を含み、ＵＥは更に、ＷＬＡＮチャネル使用がＷＬＡＮチャネル使用閾値未満であり、ＷＬＡＮダウンリンクバックホールレートがＷＬＡＮダウンリンクバックホールレート閾値より大きく、ＷＬＡＮアップリンクバックホールレートがＷＬＡＮアップリンクバックホールレート閾値より大きく、及びビーコンＲＳＳＩがＷＬＡＮビーコンＲＳＳＩ閾値より大きいと判断する手段と、ＷＬＡＮチャネル使用がＷＬＡＮチャネル使用閾値未満であり、ＷＬＡＮダウンリンクバックホールレートがＷＬＡＮダウンリンクバックホールレート閾値より大きく、ＷＬＡＮアップリンクバックホールレートがＷＬＡＮアップリンクバックホールレート閾値より大きく、及びビーコンＲＳＳＩがＷＬＡＮビーコンＲＳＳＩ閾値より大きいという判断に更に基づき、ＷＬＡＮにトラフィックを誘導する手段とを有する。
【０１０６】
具体例２５は、具体例２１〜２４の何れかのＵＥを含み、第１のアクセスネットワークはＷＬＡＮであり、第２のアクセスネットワークはＥＵＴＲＡＮであり、ＲＡＮ支援パラメータは、ＷＬＡＮチャネル使用閾値、ＷＬＡＮダウンリンクバックホールレート閾値、ＷＬＡＮアップリンクバックホールレート閾値、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値及びＷＬＡＮビーコンＲＳＳＩ閾値を含み、ＵＥは更に、ＷＬＡＮチャネル使用がＷＬＡＮチャネル使用閾値より大きいか、ＷＬＡＮダウンリンクバックホールレートがＷＬＡＮダウンリンクバックホールレート閾値未満であるか、ＷＬＡＮアップリンクバックホールレートがＷＬＡＮアップリンクバックホールレート閾値未満であるか、又はビーコンＲＳＳＩがＷＬＡＮビーコンＲＳＳＩ閾値未満であると判断する手段と、ＷＬＡＮチャネル使用がＷＬＡＮチャネル使用閾値より大きいか、ＷＬＡＮダウンリンクバックホールレートがＷＬＡＮダウンリンクバックホールレート閾値未満であるか、ＷＬＡＮアップリンクバックホールレートがＷＬＡＮアップリンクバックホールレート閾値未満であるか、又はビーコンＲＳＳＩがＷＬＡＮビーコンＲＳＳＩ閾値未満であるという判断に基づき、ＥＵＴＲＡＮにトラフィックを誘導する手段とを有する。
【０１０７】
具体例２６は、具体例２５のＵＥを含み、ＲＡＮ支援パラメータは更に、ＲＳＲＰ閾値及びＲＳＲＱ閾値を含み、ＵＥは更に、ＥＵＴＲＡＮの測定されたセル受信レベル値がＲＳＲＰ閾値より大きく、ＥＵＴＲＡＮの測定されたセル品質値がＲＳＲＱ閾値より大きいと判断する手段と、ＥＵＴＲＡＮに対応する測定されたセル受信レベル値がＲＳＲＰ閾値より大きく、ＥＵＴＲＡＮに対応する測定されたセル品質値がＲＳＲＱ閾値より大きいという判断に基づき、ＥＵＴＲＡＮにトラフィックを誘導する手段とを有する。
【０１０８】
具体例２７は、エンハンストノードＢ（ｅＮＢ）の動作方法であって、ｅＮＢによって提供される複数のＰＬＭＮ（Ｐｕｂｌｉｃ  Ｌａｎｄ  Ｍｏｂｉｌｅ  Ｎｅｔｗｏｒｋ）のそれぞれのＲＡＮ支援パラメータのセットを受信するステップであって、ＲＡＮ支援パラメータの個々のセットは、ＥＵＴＲＡＮ（Ｅｖｏｌｖｅｄ  Ｕｎｉｖｅｒｓａｌ  Ｔｅｒｒｓｔｒｉａｌ  Ｒａｄｉｏ  Ａｃｃｅｓｓ  Ｎｅｔｗｏｒｋ）からＷＬＡＮ（Ｗｉｒｅｌｅｓｓ  Ｌｏｃａｌ  Ａｒｅａ  Ｎｅｔｗｏｒｋ）にトラフィックを誘導するための第１のＥＵＴＲＡＮ閾値、ＷＬＡＮからＥＵＴＲＡＮにトラフィックを誘導するための第２のＥＵＴＲＡＮ閾値、ＥＵＴＲＡＮからＷＬＡＮにトラフィックを誘導するための第１のＷＬＡＮ閾値及びＷＬＡＮからＥＵＴＲＡＮにトラフィックを誘導するための第２のＷＬＡＮ閾値を含み、複数のＰＬＭＮのそれぞれのＲＡＮ支援パラメータを含む専用又はブロードキャストシグナリングメッセージを生成するステップと、ＥＵＴＲＡＮのセルにおける１つ以上のユーザ装置（ＵＥ）に専用又はブロードキャストシグナリングメッセージを送信するステップとを有するｅＮＢ回路を含む。
【０１０９】
具体例２８は、具体例２７の方法を含み、生成するステップはＲＡＮ支援パラメータを含むシステム情報ブロックを生成することを含み、送信するステップはシステム情報ブロックを送信することを含む。
【０１１０】
具体例２９は、具体例２７の方法を含み、生成するステップはＲＡＮ支援パラメータを含む無線リソース制御（ＲＲＣ）接続リコンフィギュレーションメッセージを生成することを含み、無線送受信機はＲＲＣ接続リコンフィギュレーションメッセージを送信する。
【０１１１】
具体例３０は、具体例２７〜２９の何れかの方法を含み、第１のＥＵＴＲＡＮ閾値は第１のＲＳＲＰ閾値又は第１のＲＳＲＱ閾値を含み、第２のＥＵＴＲＡＮ閾値は第２のＲＳＲＱ閾値又は第２のＲＳＲＱ閾値を含む。
【０１１２】
具体例３１は、具体例２７〜３０の何れかの方法を含み、第１のＷＬＡＮ閾値は第１のチャネル使用閾値、第１のＷＬＡＮダウンリンクバックホールレート閾値、第１のＷＬＡＮアップリンクバックホールレート又は第１のＷＬＡＮビーコンＲＳＳＩを含み、第２のＷＬＡＮ閾値は第２のチャネル使用閾値、第２のＷＬＡＮダウンリンクバックホールレート閾値、第２のＷＬＡＮアップリンクバックホールレート又は第２のＷＬＡＮビーコンＲＳＳＩを含む。
【０１１３】
具体例３２は、具体例２７〜３１の何れかの方法を実行する装置を含む。
【０１１４】
具体例３３は、実行されると、請求項２７〜３１の何れかの方法をｅＮＢに実行させる命令を有する１つ以上の非一時的なコンピュータ可読媒体を含む。
【０１１５】
要約に記載されたものを含む説明された実現形態のここでの説明は、本開示を開示された正確な形態に限定すること、又は包括的であることを意図するものでない。特定の実現形態及び具体例が例示的な目的のためここに説明されるが、当業者が認識するように、各種の等価的な修正が本開示の範囲内で可能である。これらの修正は、上記の詳細な説明を鑑み本開示に対して行われてもよい。
【図１】
0006498698.tif 000019
【図２】
0006498698.tif 000020
【図３】
0006498698.tif 000021
【図４】
0006498698.tif 000022
【図５】
0006498698.tif 000023